(57)【要約】      （修正有）【課題】ロゴやマーク、文字などのマーキングを施したグリップテープを提供する。【解決手段】グリップテープの本体１の表面にレーザー光を照射することによってロゴや文字などのマーキング部２を施したので、マーキングするロゴや文字のデータを制作するだけで、高額な印刷用の版を必要とすることなく極小ロット、低コスト、短納期でマーキングしたグリップテープを制作することができる。また、マーキング部２は、均一にベタ面、細線を密にあるいは密度を変化させて配置したパターン、ドットを密にあるいは密度を変化させて配置したパターンなどで形成してマーキング可能であるので、グラデーションや画像など多彩な表現が可能である。【選択図】図１
0003225635.tif 000002
【実用新案登録請求の範囲】
【請求項１】
スポーツ用具や工具、その他の物品のグリップに巻いて使用するグリップテープであって、該グリップテープの表面にレーザー光を照射することによってロゴや文字などのマーキング部を形成したことを特徴とするグリップテープ。
【請求項２】
該グリップテープの表面にレーザー光を照射することによって施されたマーキング部は、均一にベタ面でレーザー光を照射して形成したことを特徴とする請求項１に記載のグリップテープ。
【請求項３】
該グリップテープの表面にレーザー光を照射することによって施されたマーキング部は、細線を密にあるいは密度を変化させて配置したパターンでレーザー光を照射して形成したことを特徴とする請求項１または請求項２の何れかに記載のグリップテープ。
【請求項４】
該グリップテープの表面にレーザー光を照射することによって施されたマーキング部は、ドットを密にあるいは密度を変化させて配置したパターンでレーザー光を照射して形成したことを特徴とする請求項１乃至請求項３の何れかに記載のグリップテープ。
【考案の詳細な説明】
【技術分野】
【０００１】  本考案は、スポーツ用具や工具などのグリップに巻いて使用するグリップテープに関し、特にロゴやマーク、文字などのマーキングを施したグリップテープに関する。
【背景技術】
【０００２】  従来、テニス用ラケット、卓球用ラケット、野球やソフトボール、クリケット用バット、ホッケー用スティック、ゴルフクラブなどのスポーツ用具や、ハンマーやノコギリなどの工具などのグリップ部分に巻いて、滑り止め、吸汗、クッション、衝撃吸収などの効果を得るためのグリップテープがよく知られている。例えば、特公平３−１２５４６号公報（特許文献１）に開示された「グリップテープ」を一般的なグリップテープの一般的な技術として示す。【０００３】  また、これらのグリップテープの表面には、発売元ブランドロゴ、マーク、チームロゴ、あるいは単に前記の名称や必勝などの適宜な文字がシルク印刷などでマーキングされている。また、意匠性を高めるためにグラビア印刷を施したグリップテープもある。例えば、特開２００９−２８２５０号公報（特許文献２）「グリップテープ」を参照。
【先行技術文献】
【特許文献】
【０００４】
【特許文献１】特公平３−１２５４６号公報
【特許文献１】特開２００９−２８２５０号公報
【考案の概要】
【考案が解決しようとする課題】
【０００５】  ところで、前述したグリップテープの表面にシルク印刷、グラビア印刷などの手法でマーキングを施す場合は、必ず版を作成する必要がある。このため、ある程度のロット（数量）で制作しないと、版代を含めた単価が大幅に高くなってしまい、小ロットの印刷でのマーキングは現実的ではないといった課題があった。【０００６】  そこで本考案は、上記課題を解消しグリップテープの表面に極小ロット、低コスト、短納期でロゴや文字などのマーキングを施したグリップテープを提供することを目的とする。
【課題を解決するための手段】
【０００７】  上記の課題は本考案の請求項１によれば、スポーツ用具や工具、その他の物品のグリップに巻いて使用するグリップテープであって、該グリップテープの表面にレーザー光を照射することによってロゴや文字などのマーキング部を形成したことで解決される。【０００８】  上記の課題は本考案の請求項２によれば、該グリップテープの表面にレーザー光を照射することによって施されたマーキング部は、均一にベタ面でレーザー光を照射して形成したことで解決される。【０００９】  上記の課題は本考案の請求項３によれば、該グリップテープの表面にレーザー光を照射することによって施されたマーキング部は、細線を密にあるいは密度を変化させて配置したパターンでレーザー光を照射して形成したことで解決される。【００１０】  上記の課題は本考案の請求項４によれば、該グリップテープの表面にレーザー光を照射することによって施されたマーキング部は、ドットを密にあるいは密度を変化させて配置したパターンでレーザー光を照射して形成したことで解決される。
【考案の効果】
【００１１】  本考案においては、スポーツ用具や工具、その他の物品のグリップに巻いて使用するグリップテープであって、該グリップテープの表面にレーザー光を照射することによってロゴや文字などのマーキング部を施したので、マーキングするロゴや文字のデータを制作するだけで、高額な印刷用の版を必要とすることなく極小ロット、低コスト、短納期でマーキングしたグリップテープを制作することができる。また、マーキング部は、均一にベタ面、細線を密にあるいは密度を変化させて配置したパターン、ドットを密にあるいは密度を変化させて配置したパターンなどで形成可能であるので、グラデーションや画像など多彩な表現が可能である。
【図面の簡単な説明】
【００１２】
【図１】本考案の実施例を示す正面図である。
【図２】マーキング部の拡大図である。
【図３】マーキング部の拡大図である。
【図４】マーキング部の拡大図である。
【図５】図１及び図２におけるＡ−Ａ線断面図である。
【図６】図３及び図４におけるＡ−Ａ線断面図である。
【図７】テニスラケットにグリップテープを巻きつけた状態を示す参考図である。
【考案を実施するための形態】
【００１３】  本考案の実施例について、図面を参照して詳細に説明する。なお、説明にあたっては、テニスラケット用のグリップテープとして説明をする（図７参照）。図１は、本考案の実施例を示す正面図、図２乃至図４は、マーキング部の拡大図である。
【００１４】  図１は、テニスラケット用のグリップ保護テープの本体（１）の表面（１ａ）にマーキング部（２）を形成した状態を示している。また、図７は、テニスラケット（３）のグリップ（３ａ）にグリップテープの本体（１）を巻きつけた状態を示す図で、図７に示す如くマーキング部（２）が表される。
【００１５】  本体（１）は、ポリエステル製不織布及びポリエステル樹脂から形成され、本体（１）の裏面（１ｂ）には粘着性（図示せず）を有しているので、テニスラケット（３）のグリップ（３ａ）に巻き付けて、滑り止め、吸汗、クッション、衝撃吸収、太さ調整などの効果を得ることができる。
【００１６】  マーキング部（２）は、ブランドロゴやマーク、チームロゴ、あるいは単に前記の名称などの適宜な文字がレーザーマーカーから照射されるレーザー光によって形成される。レーザマーカーとは、レーザー光を使って対象物へ印字・加工をするマーキング機器で、対象物にレーザー光を照射して表面を溶かす、焦がす、剥離する、酸化させる、削る、変色させるなどによってマーキングする機器で、一般的パーソナルコンピューターと接続され、図１のマーキング部（２）に示されるようなデータを作図ソフトウェアで作図し、作図されたデータをレーザーマーカーに出力して対象物にマーキングするものである。マーキング部（２ａ）は、レーザーマーカーから照射されるレーザー光の出力に応じて、溶かす、焦がす、剥離する、酸化させる、削る、変色させるなどの作用によって形成されることになる。また、マーキング部（２）は、レーザー光を照射するパターンによって、様々な表現をすることも可能である。レーザー光を単にベタ面（均一な面）で照射する以外にも、細線、ドット、模様などを単独でパターン化したものや何れかを組み合わせたものを照射することで、グラデーションや画像など多彩な表現をすることも容易に可能である。また、またマーキングのデータを作成すれば印刷のようにあえて版を作成する必要がないので、極小ロット、低コスト、短納期で制作することが可能である。
【００１７】  図２乃至図４は、図１におけるＡ−Ａ部の拡大図、図５は、図１及び図２におけるＡ−Ａ線断面図、図６は、図３及び図４におけるＡ−Ａ線断面図である。図２に示すマーキング部（２ａ）は、均一にベタ面でレーザー光を照射して形成したので、図５に示されるようにレーザー光が照射された部分が削られるなどの作用によって単にベタ面として表現される。
【００１８】  図３に示すマーキング部（２ｂ）は、細線を密にあるいは密度を変化させて配置したパターンでレーザー光を照射して形成したので、図６に示されるようにレーザー光が照射された部分だけが削られるなどの作用によってマーキングされる。また、マーキング部（２ｂ）は、ベタ面（均一な面）で表現されたマーキング部（２ａ）と比較して、全面にレーザー光が照射されず、レーザー光が照射された部分だけがマーキングされるので、例えば見た目薄く表現したりグラデーションなどの表現をすることが可能である。
【００１９】  図４に示すマーキング部（２ｃ）は、ドットを密にあるいは密度を変化させて配置したパターンでレーザー光を照射して形成したので、図６に示されるようにレーザー光が照射された部分だけが削られるなどの作用によってマーキングされる。また、マーキング部（２ｃ）は、ベタ面（均一な面）で表現されたマーキング部（２ａ）と比較して、全面にレーザー光が照射されず、レーザー光が照射された部分だけがマーキングされるので、例えばドットのサイズや密度を変化させてレーザー光を照射することで、グラデーションや画像などの表現をすることが可能である。
【符号の説明】
【００２０】１          本体
１ａ        表面
１ｂ        裏面
２          マーキング部
３          ラケット熱圧着シート
３ａ        グリップ
【図１】
0003225635.tif 000003
【図２】
0003225635.tif 000004
【図３】
0003225635.tif 000005
【図４】
0003225635.tif 000006
【図５】
0003225635.tif 000007
【図６】
0003225635.tif 000008
【図７】
0003225635.tif 000009